(57)【要約】【目的】押さえ金の切りくず擦過による寿命低下を防止するとともに、チップの安定的なクランプを実現するチップのクランプ装置を提供する。【構成】切削工具のボデー(20)に装着されるチップ(30)を押圧固定する押さえ金(51)を備えたチップのクランプ装置(50)において、前記押さえ金(51)の先端部には、チップ(30)の切れ刃側に指向する切りくず案内面(51c)及びこの切りくず案内面(51c)に交差してチップ上面(30a)を押圧する押圧面(51b)を構成し且つ超硬合金等からなる硬質部材(51B)が設けられ、前記押圧面(51b)と、前記押さえ金(51)の後端部下面に設けられてボデー上面(20a)に当接する支持面(51d)とが互いに略並行をなす平坦面で形成され、さらに、前記押圧面(51b)及び前記支持面(51d)の段差(H1)と、前記チップ上面(30a)及び前記ボデー上面(20a)の段差(H2)とがＨ２−０．３ｍｍ≦Ｈ１≦Ｈ２＋０．３ｍｍの関係にあるようにした。【選択図】図１
2006116681.tif 000002
【特許請求の範囲】
【請求項１】
切削工具のボデーの先端部に設けたチップ座に載置されたチップを上方から押圧固定する押さえ金を備えたチップのクランプ装置であって、
このクランプ装置は、少なくとも押さえ金と、この押さえ金を前記チップ座に向かって押圧するクランプねじとからなり、前記押さえ金の先端部には、チップの切れ刃側に指向してチップ上面の上方に向かって立ち上がる切りくず案内面と、この切りくず案内面に交差して前記チップ上面を押圧する押圧面とを構成する超硬合金、サーメット又はセラミックからなる硬質部材が設けられ、前記押圧面と、前記押さえ金の後端部下面に設けられてボデー上面に当接する支持面とが互いに略並行をなす平坦面で形成され、さらに、前記押圧面及び前記支持面の段差（Ｈ１）と、前記チップ上面及び前記ボデー上面の段差（Ｈ２）とがＨ２−０．３ｍｍ≦Ｈ１≦Ｈ２＋０．３ｍｍの関係にあることを特徴とするチップのクランプ装置。
【請求項２】
前記押圧面及び前記支持面の段差（Ｈ１）と、前記チップ上面及び前記ボデー上面の段差（Ｈ２）とがＨ２≦Ｈ１≦Ｈ２＋０．３ｍｍの関係にあることを特徴とする請求項１に記載のチップのクランプ装置。
【請求項３】
前記押圧面と前記切りくず案内面とのなす角度（α）が５０°〜９０°の範囲に設定されていることを特徴とする請求項１又は２に記載のチップのクランプ装置。
【請求項４】
前記押圧面と前記支持面とのなす角度（β）が、−１°〜１°の範囲に設定されていることを特徴とする請求項１〜３のいずれか１項に記載のチップのクランプ装置。
【請求項５】
前記押圧面と前記支持面とのなす角度（β）が、０°〜１°の範囲に設定されていることを特徴とする請求項１〜４のいずれか１項に記載のチップのクランプ装置。
【請求項６】
前記押圧面の面積（Ｓ１）が１５ｍｍ2以上且つチップ上面の面積（Ｓ）の７５％以下の範囲に設定されていることを特徴とする請求項１〜５のいずれか１項に記載のチップのクランプ装置。
【請求項７】
前記押さえ金の中央部を貫通する取付孔に挿通されるクランプボルトの頭部には座面が設けられ、この座面に係合する凹所が前記取付孔に設けられ、前記座面又は前記凹所のいずれか一方が頂角（γ）を４５°〜１６０°の範囲に設定した円錐台形状に形成され、他方が前記円錐台形に対応する円錐台形状又は湾曲面状に形成されていることを特徴とする請求項１〜６のいずれか１項に記載のチップのクランプ装置。
【請求項８】
請求項１〜７のいずれか１項に記載のチップのクランプ装置を有することを特徴とするスローアウェイ式切削工具。
【発明の詳細な説明】
【技術分野】
【０００１】
本発明は、チップのクランプ装置及びこれを有するスローアウェイ式切削工具に関し、特に、押さえ金を利用したものに関する。
【背景技術】
【０００２】
押さえ金を利用したチップのクランプ装置を有する切削工具を図７に例示する。この図は従来クランプバイトの分解斜視図であり、いわゆるクランプオン方式のものであって、ボデー（２）と、セラミック製チップ（３）と、敷板（４）と、セラミック製チップ（３）用のクランプ装置（５）で構成される。
【０００３】
前記ボデー（２）は、頭部（２ａ）の一角に段状に凹んだ座面（２ｂ）を形成し、その座面（２ｂ）に前記敷板（４）をネジ止めするための雌ネジ孔（２ｃ）を形成してなる。また、ボデー（２）の頭部（２ａ）にはクランプ装置（５）用の雌ネジ孔（２ｄ）も設けられている。
【０００４】
前記セラミック製チップ（３）は三角チップ形態であって、ボデー（２）の座面（２ｂ）に沿って垂直に切り立つ二つの壁面（２ｅ、２ｅ）に二辺がフィットする。このセラミック製チップ（３）の材質は、窒化珪素又はアルミナ又はアルミナＴｉＣ（アルミナ−チタンカーバイド）製である。
【０００５】
前記敷板（４）は例えば超硬合金製であって、セラミック製チップ（３）の外形より一回り小さい三角形のチップ形態で中央にネジ挿通用の透孔（４ａ）を有する。なお、実施形態では敷板（４）を２枚重ねた複数枚で使用するが、セラミック製チップ（３）の厚みに応じて１枚だけで使用する場合もある。
【０００６】
一方、セラミック製チップ（３）用のクランプ装置（５）は、ボデー（２）の頭部（２ａ）に取り付く押さえ金（５ａ）と、その押さえ金（５ａ）の貫通孔（５ｂ）に通したクランプねじ（５ｃ）と、そのクランプねじ（５ｃ）を押さえ金（５ａ）に係留するスナップリング（５ｄ）とからなる。
【０００７】
以上の構成要素よりなるクランプバイト（１）は次の要領で組み立てられる。すなわち、先ず前記敷板（４）の透孔（４ａ）に皿頭ネジ（６）を通しその皿頭ネジ（６）をホルダー（２）の座面（２ｂ）の雌ネジ孔（２ｃ）に通して締め付け、もってボデー（２）の座面に敷板（４）を固定する。次に敷板（４）上にセラミック製チップ（３）を載せ、さらに押さえ金（５ａ）をボデー（２）の頭部（２ａ）に載せ、クランプねじ（５ｃ）を雌ネジ孔（２ｄ）に通して締め付ける。そうすると押さえ金（５ａ）の先端に設けられた押圧面がセラミック製チップ（３）の上面を強く押さえるから、セラミック製チップ（３）は押さえ金（５ａ）と敷板（４）の間に挟まってクランプされる。（例えば、特許文献１参照）
【０００８】
【特許文献１】特開２００３−１７０３０２号公報
【発明の開示】
【発明が解決しようとする課題】
【０００９】
しかしながら、上記の特許文献１に開示されたクランプバイト（１）においては、チップ（３）の切れ刃側を指向する押さえ金（５ａ）の先端側側面は切りくずの擦過によって摩耗し、一般的に鋼からなる押さえ金（５ａ）では、鋳鉄や鋼を高速切削したときには、この摩耗の進行が急速であるため寿命が著しく短くなる問題があった。図８の正面図において斜線で示されるように、切りくずとの擦過が生じる部位に超硬合金等からなる硬質部材（６）をろう付けした押さえ金（５ａ）を用いた場合には、上記の切りくずの擦過による寿命低下の問題を克服できるものの、押さえ金の先端部下面に形成され且つチップ上面（３ａ）を押圧する押圧面（６ａ）及び押え金（５ａ）の後端部下面に形成されボデー（２）の頭部（２ａ）の上面に当接する支持面（７）の段差が、この段差に対応するチップ上面（３ａ）及び前記頭部（２ａ）の上面の段差に対して一致せず、特にそれぞれの段差の差が大きくなると、押圧面（６ａ）に欠損や破損を生じるおそれがあった。これは、超硬合金からなる硬質部材（６）が鋼にくらべ靭性に乏しいことに加え、押圧面（６ａ）の狭い範囲がチップ上面（３ａ）を押圧するため、この押圧面（６ａ）に過大な応力が生じるからである。上記の欠けや欠損が生じると、チップ上面（３ａ）に損傷を及ぼしたりチップ（３）の安定的なクランプ状態が得られなかったりするおそれがある。
【００１０】
本発明は、上記の事情に鑑みてなされたものであって、その目的は、押さえ金の切りくず擦過による寿命低下を防止するとともに、チップの安定的なクランプを実現するチップのクランプ装置を提供することにある。
【課題を解決するための手段】
【００１１】
上記の課題を解決するため、本発明は、切削工具のボデーの先端部に設けたチップ座に載置されたチップを上方から押圧固定する押さえ金を備えたチップのクランプ装置であって、このクランプ装置は、少なくとも押さえ金と、この押さえ金を前記チップ座に向かって押圧するクランプねじとからなり、前記押さえ金の先端部には、チップの切れ刃側に指向してチップ上面から立ち上がる切りくず案内面及びこの切りくず案内面に交差して前記チップ上面を押圧する押圧面を構成する超硬合金、サーメット又はセラミックからなる硬質部材が設けられ、前記押圧面と、前記押さえ金の後端部下面に設けられてボデー上面に当接する支持面とが互いに略並行をなす平坦面で形成され、さらに、前記押圧面及び前記支持面の段差（Ｈ１）と、前記チップ上面及び前記ボデー上面の段差（Ｈ２）とがＨ２−０．３ｍｍ≦Ｈ１≦Ｈ２＋０．３ｍｍの関係にあることを特徴とするチップのクランプ装置である。なお、段差（Ｈ１）は、押さえ金の押圧面が支持面よりも上方にあるとき正の値と定義する。同様に段差（Ｈ２）についても、チップ上面がボデー上面よりも上方にあるとき正の値と定義する。
【００１２】
上記のチップのクランプ装置においては、以下のように限定するとより好ましい。
（１）前記押圧面及び前記支持面の段差（Ｈ１）と、前記チップ上面及び前記ボデー上面の段差（Ｈ２）とがＨ２≦Ｈ１≦Ｈ２＋０．３ｍｍの関係にあること。
（２）前記押圧面と前記切りくず案内面とのなす角度（α）が５０°〜９０°の範囲に設定されていること。
（３）前記押圧面と前記支持面とのなす角度（β）が、−１°〜１°の範囲に設定されていること。
なお、前記角度（β）は、前記押圧面と前記支持面とを平行とした状態に対して前記押圧面が先端側にいくにしたがって漸次下方へ向かって傾斜する場合を正と定義する。
（４）前記押圧面と前記支持面とのなす角度（β）が、０°〜１°の範囲に設定されていること。
（５）前記押圧面の面積（Ｓ１）が１５ｍｍ2以上且つチップ上面の面積（Ｓ）の７５％以下の範囲に設定されていること。
（６）前記押さえ金の中央部を貫通する取付孔に挿通されるクランプボルトの頭部には座面が設けられ、この座面に係合する凹所が前記取付孔に設けられ、前記座面又は前記凹所のいずれか一方は、頂角（γ）を４５°〜１６０°の範囲に設定した円錐台形状に形成され、他方が前記円錐台形に対応する円錐台形状又は湾曲面状に形成されていること。
【００１３】
また、本発明のスローアウェイ式切削工具は、上記のチップのクランプ装置を有することを特徴とするものである。
【発明の効果】
【００１４】
本発明のチップのクランプ装置及びスローアウェイ式切削工具によれば、押さえ金の切りくず案内面は超硬合金、サーメット又はセラミックからなる硬質部材によって構成されることから鋼のみからなる押さえ金にくらべ大幅に耐摩耗性が向上する。よって、切りくずの擦過による摩耗がおさえられ押さえ金の寿命低下が防止できる。押さえ金の押圧面及び支持面は、互いに略並行をなす平坦面とされ、且つ前記押圧面及び前記支持面の段差（Ｈ１）と、この段差（Ｈ１）に対応するチップ上面及びボデー上面の段差（Ｈ２）とが、Ｈ２−０．３ｍｍ≦Ｈ１≦Ｈ２＋０．３ｍｍの関係にあることから、押圧面をチップ上面に対して広範囲に接触させることができる。したがって、押圧面に過大な応力が発生することを緩和できるため、靭性に劣る硬質部材であっても押圧面に欠損や破損が生じることを防止することができる。しかも、チップ上面が広範囲に押圧されることからチップは安定的にクランプされる。Ｈ１＜Ｈ２−０．３ｍｍの関係にあると、押圧面の後端側の狭い範囲でチップ上面を押圧することになるので、局所的に過大な応力が押圧面に発生するほか前記押圧部がチップ中央部よりも後端側に偏るためチップを安定的にクランプできなくなるおそれがある。Ｈ１＞Ｈ２＋０．３ｍｍの関係にあると、押圧面の先端側の狭い範囲でチップ上面を押圧することになるので、局所的に過大な応力が押圧面に発生するおそれがある。押圧面と支持面とを互いに略並行をなす平坦面とし且つ段差（Ｈ１）及び段差（Ｈ２）をＨ２−０．３ｍｍ≦Ｈ１≦Ｈ２＋０．３ｍｍの関係にする点では、前記押圧面及び前記支持面は、同一段取りにおいて切削加工、特に好ましくは研削加工されるのが好ましい。押圧面をチップ上面に対してより広範囲に接触させ前記押圧面に発生する応力をいっそう小さくすることによって、前記押圧面の欠損や破損を防止する効果及びチップを安定的にクランプする効果をいっそう高めるという点では、段差（Ｈ１）と段差（Ｈ２）とがＨ２−０．１ｍｍ≦Ｈ１≦Ｈ２＋０．１ｍｍの関係にあることが特に好ましい。さらに、段差Ｈ１及び段差Ｈ２は、好ましくはＨ２≦Ｈ１≦Ｈ２＋０．３ｍｍの関係にある。そうすれば、確実に押圧面の先端側の部分がチップ上面を押圧するため、その押圧部の位置がほぼ一定に保たれチップをいっそう安定的にクランプすることができ、Ｈ２≦Ｈ１≦Ｈ２＋０．１ｍｍの関係にあれば、押圧面をチップ上面に対してさらに広範囲に接触させることができるため、チップを安定的にクランプする効果が大幅に高められて特に好ましい。
【００１５】
硬質部材から構成され且つ互いに交差する押さえ金の押圧面と、チップ上面の上方へ立ち上がる切りくず案内面とのなす角度（α）が５０°〜９０°の範囲に設定されると、上記の交差部付近の強度向上により、前記押圧面の先端側がチップ上面に接触するとき、前記押圧面に生じる応力に起因する欠損や破損の抑止効果がいっそう高められるとともに、前記切りくず案内面への切りくずの衝突に起因する欠損や破損の抑止効果も大幅に高められる。なお、前記角度（α）が５０°未満になると、上記の強度向上の効果が得られないおそれがあり、９０°を超えると、切りくず案内面のチップ上面に対する立ち上がり勾配角度が大きすぎて前記切りくず案内面への切りくず擦過が激しくなったり切りくず詰まりが生じたりするおそれがある。なお、押圧面と切りくず案内面との交差稜線に沿って平坦面状又は曲面状の面取りが施されてもよい。
【００１６】
押圧面と支持面とのなす角度（β）を−１°〜１°の範囲に限定した理由は、前記角度（β）が−１°未満又は１°を超えると、押圧面の狭い範囲でチップ上面を押圧することになるため、押圧面に過大な応力が発生し、靭性の低い硬質部材に欠損や破損が生じてしまうおそれがあるからである。より好ましくは、前記角度（β）は０°〜１°の範囲に設定される。そうすれば、確実に押圧面の先端側の部分がチップ上面を押圧するため、その押圧部の位置がほぼ一定に保たれチップをいっそう安定的にクランプすることができる。押圧面と支持面とのなす角度（β）を上記の範囲に設定する点では、前記押圧面及び前記支持面は、先述したように同一段取りにおいて切削加工、特に好ましくは研削加工されるのが好ましい。
【００１７】
押圧面の面積（Ｓ１）が１５ｍｍ2以上且つチップ上面の全面積（Ｓ）の７５％以下の範囲に設定されると、前記押圧面にはチップ上面を押圧するのに十分な面積が確保されるためチップを安定的にクランプすることができる。押圧面の面積（Ｓ１）が１５ｍｍ2未満になるとチップ上面を押圧する部分の面積が狭くなりチップを安定的にクランプできないおそれがあり、前記面積（Ｓ１）がチップ上面の全面積（Ｓ）の５０％を超えると、チップ上面において切りくずを排出させるのに十分な程度の広い空間が確保できず、押さえ金の切りくず案内面への切りくず擦過が顕著になるか又は切りくず詰まりが生じるおそれがある。
【００１８】
上記のクランプ装置において、押さえ金の中央部を貫通する取付孔に挿通されるクランプねじの頭部に円錐台形状の座面が設けられ、この座面に係合する凹所が前記取付孔に設けられ、前記座面又は前記凹所のいずれか一方が、頂角（γ）を４５°〜１６０°の範囲に設定した円錐台形状に形成され、他方が前記円錐台形に対応する円錐台形状又は湾曲面状に形成された場合には、押さえ金は、前記凹所の中心軸線が前記座面の中心軸線に略一致するように位置決めされる。そのため、押圧面によってチップ上面を押圧する位置が変動し難くなりチップを安定的にクランプすることができる。円錐台形の頂角（γ）が４５°未満になると、チップ上面に当接した押圧面による押圧力が不足するおそれがあり、１６０°を超えると、クランプねじに対する押さえ金の位置が一定せずチップ上面の押圧される位置が不安定になることから、チップを安定的にクランプできないおそれがある。なお、クランプねじの軸線に対して直角な方向への押さえ金の動きを許容するため、クランプねじの軸部の外径はこの軸部が挿通する押さえ金の取付孔の内径よりも大きくすべきである。
【発明を実施するための最良の形態】
【００１９】
以下に、本発明のチップのクランプ装置及びスローアウェイ式切削工具を適用した一実施の形態について図を参照しながら説明する。図１は本実施の形態に係るクランプバイトを示す図であり、（ａ）は平面図、（ｂ）は正面図である。図２は図１のクランプバイトに用いられる押さえ金を示す図であり、（ａ）は平面図、（ｂ）は正面図、（ｃ）は底面図である。図３は図１のクランプバイトに用いられるクランプねじを示す図であり、（ａ）は側面図、（ｂ）は正面図である。図４は押さえ金がチップ上面を押圧した状態を示す正面図である。図５は押さえ金とクランプねじとの係合状態を説明する断面図である。図６は本実施の形態の他の例において押さえ金がチップ上面を押圧した状態を示す正面図である。
【００２０】
図１に示されるように、クランプバイト（１０）は、鋼からなり略角棒状をなすボデー（２０）の先端部（図１の左側）に段状に凹んだチップ座（２１）が形成され、このチップ座（２１）に鋼又は超硬合金等からなる敷板（４０）を介して載置されたチップ（３０）がクランプ装置（５０）によってクランプされたものである。チップ（３０）を構成する材料は、例えば超硬合金、サーメット又はセラミック等の金属切削用チップとして公知の材料である。前記敷板（４０）は、その中央部を貫通する取付孔（図示しない）を挿通する締付けねじ（図示しない）をチップ座（２１）の底面（２１ａ）に設けられた雌ねじ孔（図示しない）に螺着することにより固定されており、敷板（４０）上にチップ（３０）を載置する。クランプ装置（５０）は、基本的に鋼からなる押さえ金（５１）及びこの押さえ金（５１）を押圧するクランプねじ（５２）から構成され、押さえ金（５１）はその先端部下面にチップ上面（３０ａ）に当接する押圧面（５１ｂ）と、後端部下面にボデー上面（２０ａ）に当接する支持面（５１ｄ）とが設けられ、押圧面（５１ｂ）と支持面（５１ｄ）との間には取付孔（５１Ａ）が貫通して設けられる。そして、押さえ金（５１）がチップ上面（３０ａ）及びボデー上面（２０ａ）にまたがって載置され、取付孔（５１Ａ）に挿通されたクランプねじ（５２）がチップ座（２１）よりも後端側のボデー上面（２０ａ）に設けられた雌ねじ孔（図示しない）にねじ込まれていくと、押さえ金（５１）の押圧面（５１ｂ）がチップ上面（３０ａ）に当接しチップ座底面（２１ａ）側に向かって押圧することによって、チップ（３０）はチップ座（２１）内に固定される。
【００２１】
図１及び図２の斜線部に示されるように、このクランプバイト（１０）のクランプ装置（５０）において、押さえ金（５１）の先端部の一角には段状の凹部（５１Ｃ）が形成され、この凹部（５１Ｃ）には、押さえ金の主要部を構成する鋼よりも硬度が高い、例えば超硬合金、サーメット又はセラミック等からなる硬質部材（５１Ｂ）がろう付けにより固着されている。固着方法はろう付け以外にねじ止め、圧入、焼き嵌め等の公知手段から選択可能である。この硬質部材（５１Ｂ）は、押圧面（５１ｂ）の全部分を構成するとともに、この押圧面（５１ｂ）に交差し且つチップ上面（３０ａ）から上方へ立ち上がり、且つチップ（３０）の上面先端部の辺稜部に形成された切れ刃（３１ａ、３１ｂ、３１ｃ）側を指向する切りくず案内面（５１ｃ）の大部分又は全部分を構成している。図２及び図４に示されるように、押圧面（５１ｂ）及び支持面（５１ｄ）は互いに略平行をなす平坦面で形成され、これら押圧面（５１ｂ）及び支持面（５１ｄ）の段差（Ｈ１）と、この段差（Ｈ１）に対応するチップ上面（３０ａ）及びボデー上面（２０ａ）の段差（Ｈ２）とは、Ｈ２−０．３ｍｍ≦Ｈ１≦Ｈ２＋０．３ｍｍの関係にある。
【００２２】
このように、切りくず案内面（５１ｃ）を超硬合金、サーメット又はセラミックからなる硬質部材（５１Ｂ）によって構成した押さえ金（５１）は、鋼のみからなる押さえ金にくらべ大幅に耐摩耗性が向上するため、切りくずの擦過による摩耗がおさえられ押さえ金（５１）の寿命低下が防止できる。押さえ金（５１）の押圧面（５１ｂ）及び支持面（５１ｄ）を互いに略並行な平坦面とし、互いの段差（Ｈ１）と、この段差（Ｈ１）に対応するチップ上面（３０ａ）及びボデー上面（２０ａ）の段差（Ｈ２）とを、Ｈ２−０．３ｍｍ≦Ｈ１≦Ｈ２＋０．３ｍｍの関係とすることによって、押圧面（５１ｂ）をチップ上面（３０ａ）に対して広範囲に接触させることができる。なお、段差（Ｈ１）は、押さえ金（５１）の押圧面（５１ｂ）が支持面（５１ｄ）よりも上方にあるとき正の値と定義する。同様に段差（Ｈ２）についても、チップ上面（３０ａ）がボデー上面（２０ａ）よりも上方にあるとき正の値と定義する。したがって、押圧面（５１ｂ）に過大な応力が発生することがないため、靭性に劣る硬質部材（５１Ｂ）にあっても欠損や破損が生じることを防止することができる。しかも、チップ上面（３０ａ）が広範囲に押圧されることからチップ（３０）は安定的にクランプされる。Ｈ１＜Ｈ２−０．３ｍｍの関係にあると、押圧面（５１ｂ）の後端側の狭い範囲でチップ上面（３０ａ）を押圧することになるので、局所的に過大な応力が押圧面（５１ｂ）に発生するほか押圧部がチップ中央部よりも後端側に偏るためチップ（３０）を安定的にクランプできなくなるおそれがある。Ｈ１＞Ｈ２＋０．３ｍｍの関係にあると、押圧面（５１ｂ）の先端側の狭い範囲でチップ上面（３０ａ）を押圧することになるので、局所的に過大な応力が押圧面（５１ｂ）に発生するおそれがある。段差（Ｈ１）及び段差（Ｈ２）をＨ２−０．３ｍｍ≦Ｈ１≦Ｈ２＋０．３ｍｍの関係にする点では、押圧面（５１ｂ）及び支持面（５１ｄ）は、同一段取りにおいて切削加工、特に好ましくは研削加工されるのが好ましい。押圧面（５１ｂ）をチップ上面（３０ａ）に対してより広範囲に接触させ押圧面（５１ｂ）の欠損や破損を防止する効果及びチップ（３０）を安定的にクランプする効果をいっそう高めるという点では、段差（Ｈ１）と段差（Ｈ２）とがＨ２−０．１ｍｍ≦Ｈ１≦Ｈ２＋０．１ｍｍの関係にあることが特に好ましい。さらに、段差（Ｈ１）及び段差（Ｈ２）は、好ましくはＨ２≦Ｈ１≦Ｈ２＋０．３ｍｍの関係にある。そうすれば、確実に押圧面（５１ｂ）の先端側の部分がチップ上面（３０ａ）を押圧するため、その押圧部の位置がほぼ一定に保たれチップ（３０）をいっそう安定的にクランプすることができ、Ｈ２≦Ｈ１≦Ｈ２＋０．１ｍｍの関係にあれば、押圧面（５１ｂ）をチップ上面（３０ａ）に対してさらに広範囲に接触させることができるため、チップ（３０）を安定的にクランプする効果が大幅に高められて特に好ましい。
【００２３】
硬質部材（５１Ｂ）で構成された押さえ金（５１）の押圧面（５１ｂ）と切りくず案内面（５１ｃ）とのなす角度（α）は５０°〜９０°の範囲に設定される。そうすれば、押圧面（５１ｂ）と切りくず案内面（５１ｃ）との交差部付近の強度向上により、押圧面（５１ｂ）の先端側がチップ上面（３０ａ）に接触するとき、押圧面（５１ｂ）の応力集中に起因する欠損や破損の抑止効果がいっそう高められるとともに、切りくず案内面（５１ｃ）において切りくずの衝突に起因する欠損や破損の抑止効果が大幅に高められる。なお、切りくず前記角度（α）が５０°未満になると、上記の強度向上の効果が得られないおそれがあり、９０°を超えると、切りくず案内面（５１ｃ）のチップ上面（３０ａ）に対する立ち上がり勾配が急すぎて切りくず案内面（５１ｃ）に対する切りくずの擦過が激しくなったり切りくず詰まりが生じたりするおそれがある。なお、切りくず案内面（５１ｃ）は単一の平坦面に限定されることはなく、２つ以上の平坦面の組み合わせ又は曲面によって構成されるものであってもよい。また、押圧面（５１ｂ）と切りくず案内面（５１ｃ）との交差稜線に沿って平坦面状又は曲面状の面取り（５１ｅ）が施されてもよい。
【００２４】
図２に示されるように、押さえ金（５１）の押圧面（５１ｂ）と支持面（５１ｄ）とは、互いに平行をなす平坦面、具体的には押圧面（５１ｂ）と支持面（５１ｄ）とのなす角度（β）が−１°〜１°の範囲に設定されている。なお、前記角度（β）は、押圧面（５１ｂ）と支持面（５１ｄ）とを平行とした状態に対して押圧面（５１ｂ）が先端側にいくにしたがって漸次下方へ向かって傾斜する場合を正と定義する。前記角度（β）が−１°未満又は１°を超えると、押圧面（５１ｂ）の狭い範囲でチップ上面（３０ａ）を押圧することになるため、押圧面（５１ｂ）に過大な応力が発生し、靭性の低い硬質部材（５１Ｂ）に欠損や破損が生じてしまうおそれがある。より好ましくは、前記角度（β）は０°〜１°の範囲に設定される。そうすれば、確実に押圧面（５１ｂ）の先端側の部分がチップ上面（３０ａ）を押圧するため、その押圧部の位置がほぼ一定に保たれチップ（３０）をいっそう安定的にクランプすることができる。
【００２５】
押圧面（５１ｂ）の面積（Ｓ１）が１５ｍｍ2以上且つチップ上面（３０ａ）の全面積（Ｓ）の７５％以下の範囲に設定されると、押圧面（５１ｂ）にはチップ上面（３０ａ）を押圧するのに十分な面積が確保されるためチップ（３０）を安定的にクランプすることができる。押圧面（５１ｂ）の面積（Ｓ１）が１５ｍｍ2未満になるとチップ上面（３０ａ）を押圧する部分の面積が狭くチップ（３０）を安定的にクランプできないおそれがあり、前記面積（Ｓ１）がチップ上面（３０ａ）の全面積（Ｓ）の７５％を超えると、チップ上面（３０ａ）において切りくずを排出させるのに十分な程度の広い空間が確保できず、押さえ金（５１）の切りくず案内面（５１ｃ）への切りくず擦過が顕著になるか又は切りくず詰まりが生じるおそれがある。
【００２６】
図２及び図３に示されるように、押さえ金（５１）の取付孔（５１Ａ）に挿通されるクランプねじ（５２）の頭部（５２Ａ）には座面（５２ａ）が設けられていて、この座面（５２ａ）に係合する凹所（５１ａ）が前記取付孔（５１Ａ）の開口部に設けられている。図５に示されるように、座面（５２ａ）又は凹所（５１ａ）のいずれか一方は円錐台形状に形成され、この円錐台形の頂角（γ）は４５°〜１６０°の範囲に設定されている。他方は前記円錐台形に対応する円錐台形状又は湾曲面状に形成される。図５（ａ）に示されるように、座面（５２ａ）及び凹所（５１ａ）が円錐台形状に形成された態様では、それぞれの円錐台形はその頂角（γ）が略等しくなるように形成されており、座面（５２ａ）及び凹所（５１ａ）は互いに全周にわたって面接触又は線接触する。図５（ｂ）は座面（５２ａ）が円錐台形状に形成され且つ凹所（５１ａ）が中心に向かって凸湾曲面状に形成された態様を示し、図５（ｃ）は座面（５２ａ）が外側に向かって凸湾曲面状に形成され且つ凹所（５１ａ）が円錐台形状に形成された態様を示す。このように一方が円錐曲面状、他方が湾曲面状に形成された態様においては、座面（５２ａ）及び凹所（５１ａ）は互いに全周にわたって線接触する。座面（５２ａ）及び凹所（５１ａ）を以上のような構成とした場合には、チップ（３０）をクランプするとき、押さえ金（５１）の凹所（５１ａ）の中心軸線（ＣＬ１）がクランプねじ（５２）の座面（５２ａ）の中心軸線（ＣＬ２）に略一致するように押さえ金（５１）は位置決めされ、チップ上面（３０ａ）を押圧する位置がほとんど変動しないためチップ（３０）を安定的にクランプすることができる。円錐台形の頂角（γ）が４５°未満になると、チップ上面（３０ａ）に当接した押圧面（５１ｂ）による押圧力が不足するおそれがあり、１６０°を超えると、クランプねじ（５２）に対する押さえ金（５１）の位置が一定せずチップ上面（３０ａ）の押圧される位置が安定しないことから、チップ（３０）を安定的にクランプできないおそれがある。なお、クランプねじ（５２）の軸線（ＣＬ２）に対して直角な方向への押さえ金（５１）の動きを許容するため、クランプねじ（５２）の軸部の外径は、この軸部が挿通する押さえ金（５１）の取付孔（５１Ａ）の内径よりも大きくなっている。
【００２７】
図６に例示したクランプバイトは本実施の形態の他の態様を示す。このクランプバイト（１０）においては、チップ上面（３０ａ）及びボデー上面（２０ａ）が互いに同一平面上にある。このように段差（Ｈ２）が生じない場合にも本発明のクランプ装置を適用することができ、押さえ金（５１）の押圧面（５１ｂ）及び支持面（５１ｄ）は互いに略同一平面上に形成され、具体的には段差（Ｈ１）は０ｍｍを中心として、−０．３ｍｍ〜０．３ｍｍの範囲に設定され、より好ましくは０ｍｍ〜０．３ｍｍの範囲、特に好ましくは０〜０．１ｍｍの範囲に設定される。その他の好ましい構成についても先に説明した実施の形態と同様に適用可能である。
【図面の簡単な説明】
【００２８】
【図１】本発明の実施の形態に係るクランプバイトを示す図であり、（ａ）は平面図、（ｂ）は正面図である。
【図２】図１のクランプバイトに用いられる押さえ金を示す図であり、（ａ）は平面図、（ｂ）は正面図、（ｃ）は底面図である。
【図３】図１のクランプバイトに用いられるクランプねじを示す図であり、（ａ）は側面図、（ｂ）は正面図である。
【図４】押さえ金がチップ上面を押圧した状態を示す正面図である。
【図５】押さえ金とクランプねじとの係合状態を説明する断面図である。
【図６】図１に示すクランプバイトの他の態様を示す図であり、押さえ金がチップ上面を押圧した状態を示す正面図である。
【図７】従来クランプバイトの分解斜視図である。
【図８】他の従来クランプバイトの正面図である。
【符号の説明】
【００２９】
１０  クランプバイト（スローアウェイ式切削工具）
２０  ボデー
２０ａ  ボデー上面
２１  チップ座
３０  チップ
３０ａ  チップ上面
３１ａ、３１ｂ、３１ｃ  切れ刃
４０  敷板
５０  チップのクランプ装置
５１  押さえ金
５１Ａ  取付孔
５１Ｂ  硬質部材
５１ａ  押さえ金の凹所
５１ｂ  押圧面
５１ｃ  切りくず案内面
５１ｄ  支持面
５２  クランプねじ
５２ａ  クランプねじの座面
【図１】
2006116681.tif 000003
【図２】
2006116681.tif 000004
【図３】
2006116681.tif 000005
【図４】
2006116681.tif 000006
【図５】
2006116681.tif 000007
【図６】
2006116681.tif 000008
【図７】
2006116681.tif 000009
【図８】
2006116681.tif 000010